(57)【特許請求の範囲】
【請求項１】
電子部品を収納するケースと、前記ケースに着脱される着脱部材と、前記着脱部材を前記ケースに装着された状態に保持するための、前記ケースの内側に第１の方向及び第１の方向とは逆方向の第２の方向に移動自在に設けられるロックレバーとを備え、
前記ケースは、該ケースの外側から前記ロックレバーを操作可能にするための操作用開口と、前記ロックレバーを移動自在に支持するレバー支持体と、前記ロックレバーの前記第１の方向への移動を規制する第１の規制体と、前記ロックレバーの前記第２の方向への移動を規制する第２の規制体とを有し、
前記ロックレバーは、その一部が前記操作用開口に臨み、前記第１の規制体及び前記第２の規制体により規制される範囲内で、前記支持体により前記第１の方向及び前記第２の方向に移動自在に支持される電子機器装置において、
前記レバー支持体は、前記操作用開口に対向する位置に設けられた対向支持体を有し、
前記ロックレバーは、
レバー本体と、前記レバー本体から前記レバー本体の長さ方向に延伸する舌片とを有し、
前記レバー本体の長さ方向が前記第１の方向及び前記第２の方向に一致すると共に、前記レバー本体の長さ方向と幅方向の両方向に垂直な方向が前記操作用開口の開口面に垂直な方向と一致するように、前記操作用開口と前記対向支持体との間に移動自在に支持され、
前記舌片の先端が前記第２の規制体に当接することにより、前記第２の方向への移動が規制され、
前記レバー本体の幅は、前記操作用開口の幅よりも狭く、
前記レバー本体の長さをＬ１、前記舌片の先端から前記レバー本体の端縁までの長さをＬ２、前記操作用開口の長さをＲ１、前記第２の規制体から前記操作用開口までの長さをＲ２、前記ロックレバーの移動自在な長さをＤとすると、
前記レバー本体の長さＬ１は、
Ｌ１＞Ｒ１＋Ｒ２−Ｌ２
であり、
前記舌片の先端から前記レバー本体の端縁までの長さＬ２は、
Ｌ２＜Ｒ２−Ｄ
であり、
前記ロックレバーを前記ケースに装着するときに前記舌片を一時的に退避させる舌片退避部を備え、
前記舌片退避部は、前記第２の規制体と前記対向支持体との間を介して前記操作用開口に連通し、
前記舌片は、前記レバー本体の長さ方向と幅方向の両方向に垂直な方向に弾性がある、
ことを特徴とする電子機器装置。
【請求項２】
前記ロックレバーと前記本体ケースとの間には、弾性部材が介在されており、
前記ロックレバーは、前記弾性部材により付勢されることにより、前記着脱部材を前記ケースに装着された状態に保持する位置に保持される、
ことを特徴とする請求項１に記載の電子機器装置。
【請求項３】
前記ロックレバーは、前記レバー支持体に設けられた溝部に係合する突起部を有し、前記突起部が前記溝部に係合することにより、前記着脱部材を前記ケースに装着された状態に保持する位置に保持される、
ことを特徴とする請求項１に記載の電子機器装置。
【請求項４】
前記ロックレバーは、操作ボタン部をさらに有し、前記操作ボタン部が前記操作用開口に露出するように支持され、
前記対向支持体は、前記操作用開口の開口面に垂直な方向において、少なくともその一部が、前記ロックレバーが前記第２の規制体により前記第２の方向への移動が規制される位置にあるときの前記操作ボタン部と重なるように設けられている、
ことを特徴とする請求項１乃至請求項３のいずれか一項に記載の電子機器装置。
【請求項５】
前記ケースは、光ディスクから記録データを読取る光ディスク読取ユニットを収納し、
前記着脱部材は、本装置に電力を供給するための電池パック、又は、光ディスクが装着されるディスク装着部を開放、閉鎖するためのディスク蓋である、
ことを特徴とする請求項１に記載の電子機器装置。
【発明の詳細な説明】
【技術分野】
【０００１】
本発明は、例えば電池パックなどの着脱部材が着脱される電子機器装置に関するものである。
【背景技術】
【０００２】
従来から、電子部品を収納するケースに電池パックを着脱できるようにし、ロックレバーによって、電池パックをケースに装着された状態に保持するようにした電子機器装置がある。このような電子機器装置において、ロックレバーをケースの内側に往復移動自在に（第１の方向及び第１の方向とは逆方向の第２の方向に移動自在に）設けると共に、ロックレバーの一部（ロックレバーを操作するための操作ボタン部）をケースに設けられた操作用開口に臨ませたものがある。このような電子機器装置では、ロックレバーが操作用開口からケースの外側に外れないようにする構造が必要である。
【０００３】
そこで、このような電子機器装置において、ロックレバーとは別に、外れ防止用の部材を用いて、ロックレバーの外れ防止を図ったものや、ロックレバー又はロックレバーを支持する部材に、弾性を有するフックを一体的に設けて、ロックレバーの外れ防止を図るものがある。
【０００４】
一方、回動操作可能なロックレバーを回動させることにより、直線移動自在に支持されたロック板を直線移動させて、電池パックをロックするようにした電子機器装置が知られている（例えば特許文献１参照）。また、摺動自在に支持された操作部材を摺動させることにより、揺動自在に支持された係合片を揺動させて、電池パックをロックするようにした電子機器装置が知られている（例えば特許文献２参照）。
【先行技術文献】
【特許文献】
【０００５】
【特許文献１】特開２００８−２５７９４４号公報
【特許文献２】特開平８−２７３６４６号公報
【発明の概要】
【発明が解決しようとする課題】
【０００６】
しかしながら、上述した従来の電子機器装置においては、ロックレバーとは別に、外れ防止用の部材を用いた構成では、ロックレバーのケースへの組み付け作業工数が多くなり、ロックレバーのケースへの組み付けが複雑になる。また、この構成では、部品点数が多くなり、価格も高くなる。また、ロックレバー又はロックレバーを支持する部材に、弾性を有するフックを一体的に設けた構成では、力を加えると、ロックレバーが簡単に外れてしまい、十分なロックレバーの外れ防止にはならない。なお、上述した特許文献１又は特許文献２に開示の内容を適用したとしても、上記の問題を解決することはできない。
【０００７】
本発明は、上記課題を解決するためになされたものであり、ロックレバーを簡単に組み付けることができると共に、組み付けられたロックレバーが簡単には外れないようにすることができる電子機器装置を提供することを目的とする。
【課題を解決するための手段】
【０００８】
上記目的を達成するために請求項１の発明は、電子部品を収納するケースと、ケースに着脱される着脱部材と、着脱部材をケースに装着された状態に保持するための、ケースの内側に第１の方向及び第１の方向とは逆方向の第２の方向に移動自在に設けられるロックレバーとを備え、ケースは、該ケースの外側からロックレバーを操作可能にするための操作用開口と、ロックレバーを移動自在に支持するレバー支持体と、ロックレバーの第１の方向への移動を規制する第１の規制体と、ロックレバーの第２の方向への移動を規制する第２の規制体とを有し、ロックレバーは、その一部が操作用開口に臨み、第１の規制体及び第２の規制体により規制される範囲内で、支持体により第１の方向及び第２の方向に移動自在に支持される電子機器装置において、レバー支持体は、操作用開口に対向する位置に設けられた対向支持体を有し、ロックレバーは、レバー本体と、レバー本体からレバー本体の長さ方向に延伸する舌片とを有し、レバー本体の長さ方向が第１の方向及び第２の方向に一致すると共に、レバー本体の長さ方向と幅方向の両方向に垂直な方向が操作用開口の開口面に垂直な方向と一致するように、操作用開口と対向支持体との間に移動自在に支持され、舌片の先端が第２の規制体に当接することにより、第２の方向への移動が規制され、レバー本体の幅は、操作用開口の幅よりも狭く、レバー本体の長さをＬ１、舌片の先端からレバー本体の端縁までの長さをＬ２、操作用開口の長さをＲ１、第２の規制体から操作用開口までの長さをＲ２、ロックレバーの移動自在な長さをＤとすると、レバー本体の長さＬ１は、Ｌ１＞Ｒ１＋Ｒ２−Ｌ２であり、舌片の先端からレバー本体の端縁までの長さＬ２は、Ｌ２＜Ｒ２−Ｄであり、ロックレバーをケースに装着するときに舌片を一時的に退避させる舌片退避部を備え、舌片退避部は、第２の規制体と対向支持体との間を介して操作用開口に連通し、舌片は、レバー本体の長さ方向と幅方向の両方向に垂直な方向に弾性があるものである。
【０００９】
請求項２の発明は、請求項１に記載の電子機器装置において、ロックレバーと本体ケースとの間には、弾性部材が介在されており、ロックレバーは、弾性部材により付勢されることにより、着脱部材をケースに装着された状態に保持する位置に保持されるものである。
【００１０】
請求項３の発明は、請求項１に記載の電子機器装置において、ロックレバーは、レバー支持体に設けられた溝部に係合する突起部を有し、突起部が溝部に係合することにより、着脱部材をケースに装着された状態に保持する位置に保持されるものである。
【００１１】
請求項４の発明は、請求項１乃至請求項３のいずれか一項に記載の電子機器装置において、ロックレバーは、操作ボタン部をさらに有し、操作ボタン部が操作用開口に露出するように支持され、対向支持体は、操作用開口の開口面に垂直な方向において、少なくともその一部が、ロックレバーが第２の規制体により第２の方向への移動が規制される位置にあるときの操作ボタン部と重なるように設けられているものである。
【００１２】
請求項５の発明は、請求項１に記載の電子機器装置において、ケースは、光ディスクから記録データを読取る光ディスク読取ユニットを収納し、着脱部材は、本装置に電力を供給するための電池パック、又は、光ディスクが装着されるディスク装着部を開放、閉鎖するためのディスク蓋であるものである。
【発明の効果】
【００１３】
請求項１乃至請求項５の発明によれば、ロックレバーの舌片側を操作用開口を通してケース内に挿入し、そして、ロックレバーの舌片を舌片退避部に一時的に退避させて、ロックレバーのレバー本体の全体を操作用開口を通してケースの内側に納めることにより、簡単に、ロックレバーをケースに組み付けることができる。しかも、ケースに組み付けられたロックレバーは、移動自在な範囲内（第１の規制体及び第２の規制体により規制される範囲内）のどの位置にあるときでも、レバー本体の第１の規制体側の端縁及び第２の規制体側の端縁が操作用開口に露出することがなく、簡単には、ケースから外れない。
【図面の簡単な説明】
【００１４】
【図１】（ａ）は本発明の一実施形態に係る光ディスク再生装置の概略構成を示すディスク蓋を閉じた状態の斜視図、（ｂ）は同ディスク蓋を開いた状態の斜視図。
【図２】（ａ）は同光ディスク再生装置の底側から見た斜視図、（ｂ）は同光ディスク再生装置のロックレバーを本体ケースから取外した状態の斜視図。
【図３】（ａ）は同光ディスク再生装置の一方のロックレバーの構成を示す斜視図、（ｂ）は同ロックレバーの別の角度から見た斜視図、（ｃ）は同ロックレバーの断面図。
【図４】同ロックレバーを組み付けるための構成を示す図２（ｂ）の一部を拡大した斜視図。
【図５】（ａ）は同ロックレバーを組み付けるための構成を示す図４のＡ−Ａ線断面図、（ｂ）は（ａ）のＢ−Ｂ線断面図。
【図６】（ａ）は同ロックレバーを組み付けた状態を示す、ロックレバーの第１の方向への移動が規制されるときの図４のＡ−Ａ線断面に相当する断面図、（ｂ）は（ａ）のＣ−Ｃ線断面図。
【図７】（ａ）は同ロックレバーを組み付けた状態を示す、ロックレバーの第２の方向への移動が規制されるときの図４のＡ−Ａ線断面に相当する断面図、（ｂ）は（ａ）のＤ−Ｄ線断面図。
【図８】（ａ）（ｂ）（ｃ）（ｄ）は、同ロックレバーの組み付け方法を示す図４のＡ−Ａ線断面に相当する断面図。
【図９】（ａ）は同光ディスク再生装置のもう一方のロックレバーの構成を示す斜視図、（ｂ）は同ロックレバーの別の角度から見た斜視図、（ｃ）は同ロックレバーの断面図。
【図１０】同ロックレバーを組み付けるための構成を示す図２（ｂ）の一部を拡大した斜視図。
【図１１】（ａ）は同ロックレバーを組み付けるための構成を示す図１０のＥ−Ｅ線断面図、（ｂ）は（ａ）のＦ−Ｆ線断面図。
【図１２】（ａ）は同ロックレバーを組み付けた状態を示す、ロックレバーの第１の方向への移動が規制されるときの図１０のＥ−Ｅ線断面に相当する断面図、（ｂ）は（ａ）のＧ−Ｇ線断面図。
【図１３】（ａ）は同ロックレバーを組み付けた状態を示す、ロックレバーの第２の方向への移動が規制されるときの図１０のＥ−Ｅ線断面に相当する断面図、（ｂ）は（ａ）のＨ−Ｈ線断面図。
【図１４】（ａ）（ｂ）（ｃ）（ｄ）は、同ロックレバーの組み付け方法を示す図１０のＥ−Ｅ線断面に相当する断面図。
【発明を実施するための形態】
【００１５】
以下、本発明を具体化した実施形態による電子機器装置について図面を参照して説明する。図１（ａ）（ｂ）、図２（ａ）（ｂ）は、本実施形態による電子機器装置である光ディスク再生装置の構成を示す。光ディスク再生装置１は、例えばＤＶＤやＢＤ等の光ディスク１０から画像を再生する装置である。この光ディスク再生装置１は、携帯型のものである。
【００１６】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている（図２（ａ）（ｂ）では、表示ユニット３の図示を省略している）。また、光ディスク再生装置１は、本体ユニット２に着脱される着脱部材である電池パック５を備えている。電池パック５は、光ディスク再生装置１に電力を供給するためのものである。
【００１７】
本体ユニット２は、本体ケース２０と、光ディスク１０が収納されるディスク装着部２１を開放、閉鎖するためのディスク蓋２２と、光ディスク１０から記録データを読取る光ディスク読取ユニット２３と、不図示の電子部品（ディスク読取ユニット２３を駆動する駆動回路や光ディスク再生装置１の動作を制御する制御回路を構成する電子部品）等を備えている。また、本体ユニット２は、電池パック５を本体ケース２０に装着された状態に保持するためのロックレバー２４Ａ、２４Ｂ（図２（ａ）（ｂ）参照）を備えている。
【００１８】
本体ケース２０は、光ディスク読取ユニット２３、及び不図示の電子部品を収納している。本体ケース２０は、本体ケース２０の下側部分を占める下ケース３１と、本体ケース２０の上側部分を占める上ケース３２とを有しており、下ケース３１と上ケース３２が相互に結合されている。また、本体ケース２０は、電池パック５の装着用爪４１ａ、４１ｂを挿入するための爪挿入口３３ａ、３３ｂと、本体ケース２０の外側からロックレバー２４Ａ、２４Ｂを操作可能にするための操作用開口３４ａ、３４ｂとを有している。爪挿入口３３ａ、３３ｂは、本体ケース２０の背壁２０ａに設けられており、操作用開口３４ａ、３４ｂは、本体ケース２０の底壁２０ｂに設けられている。
【００１９】
ディスク蓋２２は、本体ケース２０に開閉自在に装着されている。ディスク蓋２２を開くことにより、光ディスク１０を収納、取出し可能なようにディスク装着部２１が開放され、ディスク蓋２２を閉じることにより、ディスク装着部２１が閉鎖される。
【００２０】
光ディスク読取ユニット２３は、その一部であるスピンドルモータ２３ａ及び光ヘッド２３ｂがディスク装着部２１に臨むように、本体ケース２０の内部に収納されている。光ディスク１０は、スピンドルモータ２３ａに装着されて、ディスク装着部２１に収納される。光ディスク読取ユニット２３は、スピンドルモータ２３ａにより光ディスク１０を回転させながら、光ヘッド２３ｂにより光ディスク１０に光を投光すると共に光ディスク１０からの反射光を受光して、光ディスク１０から記録データを読取る。
【００２１】
ロックレバー２４Ａは、本体ケース２０の内側に、第１の方向（図中矢印Ｕ１の方向）及び第１の方向とは逆方向の第２の方向（図中矢印Ｕ２の方向）に往復移動自在に設けられており、その一部が本体ケース２０の操作用開口３４ａに臨んでいる。また、ロックレバー２４Ｂは、本体ケース２０の内側に、第１の方向（図中矢印Ｖ１の方向）及び第１の方向とは逆方向の第２の方向（図中矢印Ｖ２の方向）に往復移動自在に設けられており、その一部が本体ケース２０の操作用開口３４ｂに臨んでいる。ロックレバー２４Ａと本体ケース２０との間には、弾性部材であるバネ２５が介在されている（ロックレバー２４Ｂと本体ケース２０との間には、バネ２５は介在されていない）。ロックレバー２４Ａ、２４Ｂの詳細については後述する。
【００２２】
表示ユニット３は、画像を表示するためのものであり、本体ユニット２の光ディスク読取ユニット２３により光ディスク１０から読取った記録データに基く画像や、メニュー画面等の各種画像を表示する。
【００２３】
ヒンジユニット４は、２軸スイーベルヒンジと呼ばれるヒンジユニットであり、表示ユニット３を本体ユニット２に対して直交２軸に回動可能に連結している。すなわち、表示ユニット３は、本体ユニット２に対して、表示ユニット３の下端部を通って表示ユニット３の下端縁と平行な第１の回動中心軸Ｃ１（図１（ａ）参照）の軸回りに回動可能になっていると共に、本体ユニット２の後端部の中央を通って本体ユニット２の上面に垂直な第２の回動中心軸Ｃ２の軸回りに回動可能になっている。
【００２４】
光ディスク再生装置１を使用するときには、例えば、表示ユニット３を起立姿勢に開いた状態（表示ユニット３を本体ユニット２に対して起立させた状態）又は倒伏姿勢に開いた状態（表示ユニット３の背面（画像表示面と反対側の面）が本体ユニット２の上面に合わさるように、表示ユニット３を本体ユニット２に対して倒伏させた状態）にされる。また、光ディスク再生装置１を携帯して持ち運ぶときには、例えば、表示ユニット３を閉じた状態（表示ユニット３の正面（画像表示面）が本体ユニット２の上面に合わさるように、表示ユニット３を本体ユニット２に対して倒伏させた状態）にされる。また、光ディスク再生装置１は、不図示の外部装置を接続して使用（光ディスク再生装置１により光ディスクから読取った記録データに基く画像を外部装置のディスプレイに表示）することができるようになっており、外部装置を接続して使用する場合には、例えば、表示ユニット３を閉じた状態にされる。
【００２５】
電池パック５は、複数の２次電池（不図示）を内蔵している。この電池パック５は、電池パック５を光ディスク再生装置１に装着するための装着用爪４１ａ、４１ｂを備えている。装着用爪４１ａには、ロックレバー２４Ａに係合される係合溝４２ａが設けられており、装着用爪４１ｂには、ロックレバー２４Ｂに係合される係合溝４２ｂが設けられている。
【００２６】
電池パック５は、装着用爪４１ａ、４１ｂを本体ケース２０の爪挿入口３３ａ、３３ｂに挿入することにより、本体ケース２０に装着され、装着用爪４１ａ、４１ｂを爪挿入口３３ａ、３３ｂから抜くことにより、本体ケース２０から取外される。すなわち、電池パック５は、本体ケース２に着脱されるようになっている。また、本体ケース２０に装着された（爪挿入口３３ａ、３３ｂに装着用爪４１ａ、４１ｂが挿入された）電池パック５は、装着用爪４１ａ、４１ｂに設けられた係合溝４２ａ、４２ｂがロックレバー２４Ａ、２４Ｂに係合されることにより、本体ケース２０に装着された状態に保持される。電池パック５が本体ケース２０に装着された状態では、電池パック５のコネクタ４３が本体ユニット２のコネクタ２６と電気的に接続され、電池パック５からコネクタ４３、２６を経由して本体ユニット２に（光ディスク再生装置１に）電力が供給される。
【００２７】
図３（ａ）（ｂ）（ｃ）は、ロックレバー２４Ａの構成を示し、図４、図５（ａ）（ｂ）は、本体ケース２０におけるロックレバー２４Ａを組み付けるための構成を示し、図６（ａ）（ｂ）、図７（ａ）（ｂ）は、ロックレバー２４Ａを本体ケース２０へ組み付けた状態を示す。
【００２８】
ロックレバー２４Ａは、図３（ａ）（ｂ）（ｃ）に示すように、レバー本体５１と、操作ボタン部５２と、舌片５３とを有している。
【００２９】
レバー本体５１は、係合片５６と、規制片５７と、バネ保持部５８とを有している。係合片５６は、電池パック５の装着用爪４１ａに設けられた係合溝４２ａに係合されるものである。規制片５７は、ロックレバー２４Ａの第１の方向への移動を規制するためのものである。バネ保持部５８は、バネ２５を保持するためのものである。
【００３０】
操作ボタン部５２は、ロックレバー２４Ａを移動させるために操作される部位であり、レバー本体５１からレバー本体５１の長さ方向と幅方向の両方向に垂直な方向に突出している。操作ボタン部５２の幅は、レバー本体５１の幅と等しくなっている。
【００３１】
舌片５３は、ロックレバー２４Ａの第１の方向への移動を規制するためのものであり、レバー本体５１からレバー本体５１の長さ方向に延伸している。この舌片５３は、レバー本体５１の長さ方向と幅方向の両方向に垂直な方向に薄く形成されており、レバー本体５１の長さ方向と幅方向の両方向に垂直な方向に弾性があるように形成されている。舌片５３の幅は、レバー本体５１の幅よりも狭くなっている。
【００３２】
本体ケース２０は、上述した構成に加え、ロックレバー２４Ａを組み付けるための構成として、図４、図５（ａ）（ｂ）に示すように、レバー支持体６１（６１ａ、６１ｂ、６１ｃ、６１ｄ）と、第１の規制体６２と、第２の規制体６３と、バネ止め体６４とを有している。
【００３３】
レバー支持体６１は、ロックレバー２４Ａを移動自在に支持するものであり、本体ケース２０の底壁２０ｂの操作用開口３４ａの周囲に設けられた開口側支持体６１ａと、操作用開口３４ａに対向する位置に設けられた対向支持体６１ｂと、開口側支持体６１ａ及び対向支持体６１ｂに繋がる側方支持体６１ｃ、６１ｄとを有している。開口側支持体６１ａは、本体ケース２０の底壁２０ｂの一部である。対向支持体６１ｂは、本体ケース２０の背壁２０ａから本体ケース２０の内側に突出している。側方支持体６１ｃは、本体ケース２０の背壁２０ａの一部である。側方支持体６１ｄは、本体ケース２０の底壁２０ｂから本体ケース２０の内側に突出している。
【００３４】
開口側支持体６１ａ、対向支持体６１ｂ、側方支持体６１ｃ、６１ｄに囲まれた空間は、操作用開口３４ａに繋がっている。側方支持体６１ｃと側方支持体６１ｄとの間隔は、操作用開口３４ａの幅と等しくなっている。
【００３５】
第１の規制体６２は、ロックレバー２４Ａの規制片５７が当接することにより、ロックレバー２４Ａの第１の方向への移動を規制するものであり、対向支持体６１ｂ及び側方支持体６１ｄから開口側支持体６１ａ（本体ケース２０の底壁２０ｂ）及び側方支持体６１ｃ（本体ケース２０の背壁２０ａ）側に突出している。第２の規制体６３は、ロックレバー２４Ａの舌片５３の先端が当接することにより、ロックレバー２４Ａの第２の方向への移動を規制するものであり、本体ケース２０の底壁２０ｂから本体ケース２０の内側に突出している。バネ止め体６４は、バネ２５を止めるものであり、対向支持体６１ｂから開口側支持体６１ａ側に突出している。
【００３６】
レバー本体５１の幅は、操作用開口３４ａの幅（側方支持体６１ｃと側方支持体６１ｄとの間隔でもある）よりも僅かに狭くなっている。また、舌片５３の先端から規制片５７の外面（舌片５３と反対側の面）までの長さは、第１の規制体６２と第２の規制体６３との間隔よりも短くなっている。
【００３７】
このようなロックレバー２４Ａ及び本体ケース２０の構成において、ロックレバー２４Ａは、図６（ａ）（ｂ）、図７（ａ）（ｂ）に示すように、舌片５３が第２の規制体６３側になると共に、レバー本体５１の長さ方向と幅方向の両方向に垂直な方向が操作用開口３４ａの開口面に垂直な方向と一致する姿勢で、操作ボタン部５２が本体ケース２０の操作用開口３４ａに露出するように、開口側支持体６１ａ、対向支持体６１ｂ、側方支持体６１ｃ、６１ｄに囲まれた空間内に設けられて、本体ケース２０に組み付けられている。ロックレバー２４Ａの本体ケース２０への組み付け方法については後述する。
【００３８】
このようにロックレバー２４Ａが本体ケース２０に組み付けられた状態では、支持体６１（開口側支持体６１ａ、対向支持体６１ｂ、側方支持体６１ｃ、６１ｄ）がガイドの役割を担い、ロックレバー２４Ａは、支持体６１によって、第１の方向（図２（ａ）中矢印Ｕ１の方向）及び第１の方向とは逆方向の第２の方向（図２（ａ）中矢印Ｕ２の方向）に往復移動自在に支持されている。また、ロックレバー２４Ａは、レバー本体５１の長さ方向に移動自在に支持されている。すなわち、ロックレバー２４Ａは、レバー本体５１の長さ方向が第１の方向及び第２の方向に一致すると共に、レバー本体５１の長さ方向と幅方向の両方向に垂直な方向が操作用開口３４ａの開口面に垂直な方向と一致するように、操作用開口３４ａと対向支持体６１ｂとの間に往復移動自在に支持されている。
【００３９】
また、このように本体ケース２０に組み付けられたロックレバー２４Ａは、レバー本体５１の規制片５７が第１の規制体６２に当接する（図６（ａ）（ｂ）参照）ことにより、第１の方向への移動が規制され、舌片５３の先端が第２の規制体６３に当接する（図７（ａ）（ｂ）参照）ことにより、第２の方向への移動が規制される。すなわち、ロックレバー２４Ａは、第１の規制体６２及び第２の規制体６３により規制される範囲内で（規制片５７が第１の規制体６２に当接する第１の位置と、舌片５３の先端が第２の規制体６３に当接する第２の位置との間で）、往復移動自在に支持されている。
【００４０】
つまり、本体ケース２０に組み付けられたロックレバー２４Ａは、その一部である操作ボタン部５２が操作用開口３４ａに露出し、第１の規制体６２及び第２の規制体６３により規制される範囲内で、支持体６１により第１の方向及び第２の方向に往復移動自在に支持されている。このように本体ケース２０に組み付けられたロックレバー２４Ａは、本体ケース２０の外側から操作ボタン部５２を操作することにより、移動させられる。
【００４１】
ロックレバー２４Ａが第１の位置（規制片５７が第１の規制体６２に当接する位置であって、第１の規制体６２により第１の方向への移動が規制される位置）にあるときには、レバー本体５１の係合片５６は、本体ケース２０の爪挿入口３３ａに露出する（図６（ａ）（ｂ）参照）。また、ロックレバー２４Ａが第２の位置（舌片５３の先端が第２の規制体６３に当接する位置であって、第２の規制体６３により第２の方向への移動が規制される位置）にあるときには、レバー本体５１の係合片５６は、本体ケース２０の爪挿入口３３ａに露出しない（図７（ａ）（ｂ）参照）。
【００４２】
従って、電池パック５の装着用爪４１ａが本体ケース２０の爪挿入口３３ａに挿入されている（電池パック５が本体ケース２０に装着されている）場合に、ロックレバー２４Ａが第１の位置にあると、ロックレバー２４Ａの係合片５６が電池パック５の装着用爪４１ａの係合溝４２ａに係合されて、電池パック５が本体ケース２０に装着されている状態に保持される。また、電池パック５の装着用爪４１ａが本体ケース２０の爪挿入口３３ａに挿入されている場合に、ロックレバー２４Ａが第２の位置にあると、ロックレバー２４Ａの係合片５６の電池パック５の装着用爪４１ａの係合溝４２ａへの係合が解除されて、電池パック５が本体ケース２０に装着されている状態の保持が解除される。
【００４３】
また、レバー本体５１の規制片５７と本体ケース２０のバネ止め体６４との間（すなわち、ロックレバー２４Ａと本体ケース２０との間）に、バネ２５が介在されている。このバネ２５は、レバー本体５１のバネ保持部５８に保持され、圧縮状態でレバー本体５１の規制片５７と本体ケース２０のバネ止め体６４との間に介在されており、ロックレバー２４Ａを第１の方向に向けて付勢している。従って、ロックレバー２４Ａは、操作ボタン部５２が操作されていないときには、バネ２５により付勢されることにより、規制片５７が第１の規制体６２に当接する位置である第１の位置（すなわち、電池パック５を本体ケース２０に装着された状態に保持する位置）に保持される。そして、ロックレバー２４Ａは、操作ボタン部５２が第２の方向に向けて押圧操作されることにより、バネ２５による付勢に抗して、舌片５３の先端が第２の規制体６３に当接する位置である第２の位置（すなわち、電池パック５を本体ケース２０に装着された状態に保持しない位置）に移動させられる。
【００４４】
本発明の光ディスク再生装置１では、レバー本体５１の長さをＬ１、舌片５３の先端からレバー本体５１の端縁までの長さをＬ２、操作用開口３４ａの長さをＲ１、第２の規制体６３から操作用開口３４ａまでの長さをＲ２、ロックレバー２４Ａの移動自在な長さ（規制片５７が第１の規制体６２に当接する第１の位置から、舌片５３の先端が第２の規制体６３に当接する第２の位置までの移動長さ）をＤとすると、
レバー本体５１の長さＬ１は、
Ｌ１＞Ｒ１＋Ｒ２−Ｌ２
にしており、
舌片５３の先端からレバー本体５１の端縁までの長さＬ２は、
Ｌ２＜Ｒ２−Ｄ
にしている。
【００４５】
図６（ａ）から明らかなように、Ｌ２＜Ｒ２−Ｄ（Ｄ＋Ｌ２＜Ｒ２）であることにより、ロックレバー２４Ａが第１の位置（規制片５７が第１の規制体６２に当接する位置）にあるとき、レバー本体５１の第２の規制体６３側の端縁は、開口側支持体６１ａと重なる位置にあり、操作用開口３４ａに露出しない。
【００４６】
また、図７（ａ）から明らかなように、Ｌ１＞Ｒ１＋Ｒ２−Ｌ２（Ｌ２＋Ｌ１＞Ｒ２＋Ｒ１）であることにより、ロックレバー２４Ａが第２の位置（舌片５３の先端が第２の規制体６３に当接する位置）にあるとき、レバー本体５１の第１の規制体６２側の端縁は、開口側支持体６１ａと重なる位置にあり、操作用開口３４ａに露出しない。
【００４７】
すなわち、Ｌ２＜Ｒ２−ＤかつＬ１＞Ｒ１＋Ｒ２−Ｌ２であることにより、ロックレバー２４Ａがどの位置にあるときでも、レバー本体５１の第１の規制体６２側の端縁及び第２の規制体６３側の端縁が操作用開口３４ａに露出することがない。これにより、ロックレバー２４Ａが操作用開口３４ａから（開口側支持体６１ａ、対向支持体６１ｂ、側方支持体６１ｃ、６１ｄに囲まれた空間から）本体ケース２０の外側に外れることがない。
【００４８】
また、本体ケース２０は、ロックレバー２４Ａを本体ケース２０に装着するときに舌片５３を一時的に退避させる舌片退避部６５を備えている。舌片退避部６５は、第２の規制体６３の先端周辺の空間であり、第２の規制体６３と対向支持体６１ｂとの間を介して操作用開口３４ａに連通している。
【００４９】
なお、対向支持体６１ｂは、操作用開口３４ａの開口面に垂直な方向において、少なくともその一部が、ロックレバー２４Ａが第２の位置（第２の規制体６３により第２の方向への移動が規制される位置）にあるときの操作ボタン部５２と重なるように設けられている。これは、ロックレバー２４Ａが第２の位置付近にあるときに、本体ケース２０の外側から操作ボタン部５２が押されても、ロックレバー２４Ａが第２の規制体６３と対向支持体６１ｂとの間から舌片退避部６５に脱落しないようにするためである。
【００５０】
図８（ａ）（ｂ）（ｃ）（ｄ）は、ロックレバー２４Ａの本体ケース２０への組み付け方法を示す。ロックレバー２４Ａは、以下のようにして、本体ケース２０に組み付けられる。
【００５１】
まず、ロックレバー２４Ａのバネ保持部５８にバネ２５の一端側を装着し、ロックレバー２４Ａの舌片５３側を操作用開口３４ａを通して本体ケース２０内に挿入し、そして、バネ２５の他端側を本体ケース２０のバネ止め体６４に押し当てつつ、ロックレバー２４Ａの舌片５３を舌片退避部６５に退避させる（第２の規制体６３と対向支持体６１ｂとの間を通して、第２の規制体６３の先端側の空間に進入させる）（図８（ａ）参照）。このとき、バネ２５は、レバー本体５１の規制片５７と本体ケース２０のバネ止め体６４との間で圧縮された状態になっている。
【００５２】
続いて、ロックレバー２４Ａの舌片５３側と反対側を対向支持体６１ｂに向けて押して、ロックレバー２４Ａのレバー本体５１の全体を操作用開口３４ａを通して本体ケース２０内（開口側支持体６１ａ、対向支持体６１ｂ、側方支持体６１ｃ、６１ｄに囲まれた空間内）に納めてゆく（図８（ｂ）参照）。このとき、ロックレバー２４Ａのレバー本体５１が対向支持体６１ｂの端縁に当接すると共に、舌片５３が第２の規制体６３の先端に当接した状態で、ロックレバー２４Ａの舌片５３側と反対側が対向支持体６１ｂに向けて押されることになる。つまり、ロックレバー２４Ａと対向支持体６１ｂとの当接点Ｚが支点となって、ロックレバー２４Ａの舌片５３側と反対側が対向支持体６１ｂに向けて押されると共に、舌片５３が第２の規制体６３の先端を開口側支持体６１ａ（本体ケース２０の底壁２０ｂ）に向けて押すことになる。従って、舌片５３が弾性変形しつつ、レバー本体５１の全体が本体ケース２０内に納められてゆくことになる。また、バネ２５は、レバー本体５１の規制片５７と本体ケース２０のバネ止め体６４との間で圧縮された状態になっている。なお、レバー本体５１の全体を操作用開口３４ａを通して本体ケース２０内に納めることを可能とするために、レバー本体５１の長さＬ１は、Ｌ１＜Ｒ１＋Ｒ２（Ｒ１は、操作用開口３４ａの長さ、Ｒ２は、第２の規制体６３から操作用開口３４ａまでの長さ）にしている。
【００５３】
レバー本体５１の全体を本体ケース２０内に挿入した後、ロックレバー２４Ａを第１の方向（第１の規制体６２側）に移動させて、レバー本体５１の舌片５３側と反対側の端縁（第１の規制体６２側の端縁）が開口側支持体６１ａに重なるようにする（図８（ｃ）参照）。このとき、バネ２５は、レバー本体５１の規制片５７と本体ケース２０のバネ止め体６４との間で圧縮された状態になっている。
【００５４】
そして、ロックレバー２４Ａを第１の方向にさらに移動させて、舌片５３が第２の規制体６３の先端から外れるように（舌片退避部６５に退避していない状態に）する（図８（ｄ）参照）。舌片５３が第２の規制体６３の先端から外れると、舌片５３は、自身の弾性力によって、元の形状（レバー本体５１からレバー本体５１の長さ方向に延伸している状態）に戻る。このとき、バネ２５は、レバー本体５１の規制片５７と本体ケース２０のバネ止め体６４との間で圧縮された状態になっている。
【００５５】
これにより、ロックレバー２４Ａは、本体ケース２０に組み付けられた状態になる。すなわち、ロックレバー２４Ａは、操作ボタン部５２が操作用開口３４ａに露出し、第１の規制体６２及び第２の規制体６３により規制される範囲内で（規制片５７が第１の規制体６２に当接する第１の位置と、舌片５３の先端が第２の規制体６３に当接する第２の位置との間で）、支持体６１により第１の方向及び第２の方向に往復移動自在に支持された状態となる。また、レバー本体５１の規制片５７と本体ケース２０のバネ止め体６４との間に、バネ２５が圧縮状態で介在された状態となり、ロックレバー２４Ａは、バネ２５により第１の方向（第１の規制体６２側）に付勢された状態となる。ロックレバー２４Ａは、このようにして、本体ケース２０に組み付けられる。
【００５６】
図９（ａ）（ｂ）（ｃ）は、ロックレバー２４Ｂの構成を示し、図１０、図１１（ａ）（ｂ）は、本体ケース２０におけるロックレバー２４Ｂを組み付けるための構成を示し、図１２（ａ）（ｂ）、図１３（ａ）（ｂ）は、ロックレバー２４Ｂを本体ケース２０へ組み付けた状態を示す。
【００５７】
ロックレバー２４Ｂは、図９（ａ）（ｂ）（ｃ）に示すように、レバー本体７１と、操作ボタン部７２と、舌片７３と、突起部７４とを有している。
【００５８】
レバー本体７１は、係合片７６と、規制片７７とを有している。係合片７６は、電池パック５の装着用爪４１ｂに設けられた係合溝４２ｂに係合されるものである。規制片７７は、ロックレバー２４Ｂの第１の方向への移動を規制するためのものである。
【００５９】
操作ボタン部７２は、ロックレバー２４Ｂを移動させるために操作される部位であり、レバー本体７１からレバー本体７１の長さ方向と幅方向の両方向に垂直な方向に突出している。操作ボタン部７２の幅は、レバー本体７１の幅と等しくなっている。
【００６０】
舌片７３は、ロックレバー２４Ｂの第１の方向への移動を規制するためのものであり、レバー本体７１からレバー本体７１の長さ方向に延伸している。この舌片７３は、レバー本体７１の長さ方向と幅方向の両方向に垂直な方向に薄く形成されており、レバー本体７１の長さ方向と幅方向の両方向に垂直な方向に弾性があるように形成されている。舌片７３の幅は、レバー本体７１の幅よりも狭くなっている。
【００６１】
突起部７４は、ロックレバー２４Ｂの位置を保持するためのものであり、レバー本体７１の側壁７１ａに設けられており、レバー本体７１からレバー本体７１の幅方向に突出している。レバー本体７１の側壁７１ａは、長孔７１ｂが形成されており、レバー本体７１の幅方向に弾性があるように形成されている。
【００６２】
本体ケース２０は、上述した構成に加え、ロックレバー２４Ｂを組み付けるための構成として、図１０、図１１（ａ）（ｂ）に示すように、レバー支持体８１（８１ａ、８１ｂ、８１ｃ、８１ｄ）と、第１の規制体８２と、第２の規制体８３と、溝部８４とを有している。
【００６３】
レバー支持体８１は、ロックレバー２４Ｂを移動自在に支持するものであり、本体ケース２０の底壁２０ｂの操作用開口３４ｂの周囲に設けられた開口側支持体８１ａと、操作用開口３４ｂに対向する位置に設けられた対向支持体８１ｂと、開口側支持体８１ａ及び対向支持体８１ｂに繋がる側方支持体８１ｃ、８１ｄとを有している。開口側支持体８１ａは、本体ケース２０の底壁２０ｂの一部である。対向支持体８１ｂは、本体ケース２０の背壁２０ａから本体ケース２０の内側に突出している。側方支持体８１ｃは、本体ケース２０の背壁２０ａの一部である。側方支持体８１ｄは、本体ケース２０の底壁２０ｂから本体ケース２０の内側に突出している。側方支持体８１ｃと側方支持体８１ｄとの間隔は、操作用開口３４ｂの幅と等しくなっている。
【００６４】
開口側支持体８１ａ、対向支持体８１ｂ、側方支持体８１ｃ、８１ｄに囲まれた空間は、操作用開口３４ｂに繋がっている。側方支持体８１ｃと側方支持体８１ｄとの間隔は、操作用開口３４ｂの幅と等しくなっている。
【００６５】
第１の規制体８２は、ロックレバー２４Ｂの規制片７７が当接することにより、ロックレバー２４Ｂの第１の方向への移動を規制するものであり、対向支持体８１ｂ及び側方支持体８１ｄから開口側支持体８１ａ（本体ケース２０の底壁２０ｂ）及び側方支持体８１ｃ（本体ケース２０の背壁２０ａ）側に突出している。第２の規制体８３は、ロックレバー２４Ｂの舌片７３の先端が当接することにより、ロックレバー２４Ｂの第２の方向への移動を規制するものであり、本体ケース２０の底壁２０ｂから本体ケース２０の内側に突出している。溝部８４は、ロックレバー２４Ｂの突起部７４と係合することにより、ロックレバー２４Ｂの位置を保持するためのものであり、側方支持体８１ｃ、８１ｄに設けられている。
【００６６】
レバー本体７１の幅は、操作用開口３４ｂの幅（側方支持体８１ｃと側方支持体８１ｄとの間隔でもある）よりも僅かに狭くなっている。また、舌片７３の先端から規制片７７の外面（舌片７３と反対側の面）までの長さは、第１の規制体８２と第２の規制体８３との間隔よりも短くなっている。
【００６７】
このようなロックレバー２４Ｂ及び本体ケース２０の構成において、ロックレバー２４Ｂは、図１２（ａ）（ｂ）、図１３（ａ）（ｂ）に示すように、舌片７３が第２の規制体８３側になると共に、レバー本体７１の長さ方向と幅方向の両方向に垂直な方向が操作用開口３４ｂの開口面に垂直な方向と一致する姿勢で、操作ボタン部７２が本体ケース２０の操作用開口３４ｂに露出するように、開口側支持体８１ａ、対向支持体８１ｂ、側方支持体８１ｃ、８１ｄに囲まれた空間内に設けられて、本体ケース２０に組み付けられている。ロックレバー２４Ｂの本体ケース２０への組み付け方法については後述する。
【００６８】
このようにロックレバー２４Ｂが本体ケース２０に組み付けられた状態では、支持体８１（開口側支持体８１ａ、対向支持体８１ｂ、側方支持体８１ｃ、８１ｄ）がガイドの役割を担い、ロックレバー２４Ｂは、支持体８１によって、第１の方向（図２（ａ）中矢印Ｖ１の方向）及び第１の方向とは逆方向の第２の方向（図２（ａ）中矢印Ｖ２の方向）に往復移動自在に支持されている。また、ロックレバー２４Ｂは、レバー本体７１の長さ方向に移動自在に支持されている。すなわち、ロックレバー２４Ｂは、レバー本体７１の長さ方向が第１の方向及び第２の方向に一致すると共に、レバー本体７１の長さ方向と幅方向の両方向に垂直な方向が操作用開口３４ｂの開口面に垂直な方向と一致するように、操作用開口３４ｂと対向支持体８１ｂとの間に往復移動自在に支持されている。
【００６９】
また、このように本体ケース２０に組み付けられたロックレバー２４Ｂは、レバー本体７１の規制片７７が第１の規制体８２に当接する（図１２（ａ）（ｂ）参照）ことにより、第１の方向への移動が規制され、舌片７３の先端が第２の規制体８３に当接する（図１３（ａ）（ｂ）参照）ことにより、第２の方向への移動が規制される。すなわち、ロックレバー２４Ｂは、第１の規制体８２及び第２の規制体８３により規制される範囲内で（規制片７７が第１の規制体８２に当接する第１の位置と、舌片７３の先端が第２の規制体８３に当接する第２の位置との間で）、往復移動自在に支持されている。
【００７０】
つまり、本体ケース２０に組み付けられたロックレバー２４Ｂは、その一部である操作ボタン部７２が操作用開口３４ｂに露出し、第１の規制体８２及び第２の規制体８３により規制される範囲内で、支持体８１により第１の方向及び第２の方向に往復移動自在に支持されている。このように本体ケース２０に組み付けられたロックレバー２４Ｂは、本体ケース２０の外側から操作ボタン部７２を操作することにより、移動させられる。
【００７１】
ロックレバー２４Ｂが第１の位置（規制片７７が第１の規制体８２に当接する位置であって、第１の規制体８２により第１の方向への移動が規制される位置）にあるときには、レバー本体７１の係合片７６は、本体ケース２０の爪挿入口３３ｂに露出する（図１２（ａ）（ｂ）参照）。また、ロックレバー２４Ｂが第２の位置（舌片７３の先端が第２の規制体８３に当接する位置であって、第２の規制体８３により第２の方向への移動が規制される位置）にあるときには、レバー本体７１の係合片７６は、本体ケース２０の爪挿入口３３ｂに露出しない（図１３（ａ）（ｂ）参照）。
【００７２】
従って、電池パック５の装着用爪４１ｂが本体ケース２０の爪挿入口３３ｂに挿入されている（電池パック５が本体ケース２０に装着されている）場合に、ロックレバー２４Ｂが第１の位置にあると、ロックレバー２４Ｂの係合片７６が電池パック５の装着用爪４１ｂの係合溝４２ｂに係合されて、電池パック５が本体ケース２０に装着されている状態に保持される。また、電池パック５の装着用爪４１ｂが本体ケース２０の爪挿入口３３ｂに挿入されている場合に、ロックレバー２４Ｂが第２の位置にあると、ロックレバー２４Ｂの係合片７６の電池パック５の装着用爪４１ｂの係合溝４２ｂへの係合が解除されて、電池パック５が本体ケース２０に装着されている状態の保持が解除される。
【００７３】
また、ロックレバー２４Ｂが第１の位置にあるときには、レバー本体７１の突起部７４が側方支持体８１ｃ、８１ｄの溝部８４に係合することにより、規制片７７が第１の規制体８２に当接する位置である第１の位置（すなわち、電池パック５を本体ケース２０に装着された状態に保持する位置）に保持される。そして、ロックレバー２４Ｂは、操作ボタン部７２が第２の方向に向けて押圧操作されることにより、レバー本体７１の突起部７４と側方支持体８１ｃ、８１ｄの溝部８４との係合が解除されて、舌片７３の先端が第２の規制体８３に当接する位置である第２の位置（すなわち、電池パック５を本体ケース２０に装着された状態に保持しない位置）に移動させられる。
【００７４】
本発明の光ディスク再生装置１では、レバー本体７１の長さをＬ１、舌片７３の先端からレバー本体７１の端縁までの長さをＬ２、操作用開口３４ｂの長さをＲ１、第２の規制体８３から操作用開口３４ｂまでの長さをＲ２、ロックレバー２４Ｂの移動自在な長さ（規制片７７が第１の規制体８２に当接する第１の位置から、舌片７３の先端が第２の規制体８３に当接する第２の位置までの移動長さ）をＤとすると、
レバー本体７１の長さＬ１は、
Ｌ１＞Ｒ１＋Ｒ２−Ｌ２
にしており、
舌片７３の先端からレバー本体７１の端縁までの長さＬ２は、
Ｌ２＜Ｒ２−Ｄ
にしている。
【００７５】
すなわち、上記ロックレバー２４Ａ、及び本体ケース２０におけるロックレバー２４Ａを組み付けるための構成と同様に、ロックレバー２４Ｂがどの位置にあるときでも、レバー本体７１の第１の規制体８２側の端縁及び第２の規制体８３側の端縁が操作用開口３４ｂに露出することがない。これにより、ロックレバー２４Ｂが操作用開口３４ｂから（開口側支持体８１ａ、対向支持体８１ｂ、側方支持体８１ｃ、８１ｄに囲まれた空間から）本体ケース２０の外側に外れることがない。
【００７６】
また、本体ケース２０は、ロックレバー２４Ｂを本体ケース２０に装着するときに舌片７３を一時的に退避させる舌片退避部８５を備えている。舌片退避部８５は、第２の規制体８３の先端周辺の空間であり、第２の規制体８３と対向支持体８１ｂとの間を介して操作用開口３４ｂに連通している。
【００７７】
なお、対向支持体８１ｂは、操作用開口３４ｂの開口面に垂直な方向において、少なくともその一部が、ロックレバー２４Ｂが第２の位置（第２の規制体８３により第２の方向への移動が規制される位置）にあるときの操作ボタン部７２と重なるように設けられている。これは、ロックレバー２４Ｂが第２の位置付近にあるときに、本体ケース２０の外側から操作ボタン部７２が押されても、ロックレバー２４Ｂが第２の規制体８３と対向支持体８１ｂとの間から舌片退避部８５に脱落しないようにするためである。
【００７８】
図１４（ａ）（ｂ）（ｃ）（ｄ）は、ロックレバー２４Ｂの本体ケース２０への組み付け方法を示す。ロックレバー２４Ｂは、以下のようにして、本体ケース２０に組み付けられる。
【００７９】
まず、ロックレバー２４Ｂの舌片７３側を操作用開口３４ｂを通して本体ケース２０内に挿入し、そして、ロックレバー２４Ｂの舌片７３を舌片退避部８５に退避させる（第２の規制体８３と対向支持体８１ｂとの間を通して、第２の規制体８３の先端側の空間に進入させる）（図１４（ａ）参照）。
【００８０】
続いて、ロックレバー２４Ｂの舌片７３側と反対側を対向支持体８１ｂに向けて押して、ロックレバー２４Ｂのレバー本体７１の全体を操作用開口３４ｂを通して本体ケース２０内（開口側支持体８１ａ、対向支持体８１ｂ、側方支持体８１ｃ、８１ｄに囲まれた空間内）に納めてゆく（図１４（ｂ）参照）。このとき、ロックレバー２４Ｂのレバー本体７１が対向支持体８１ｂの端縁に当接すると共に、舌片７３が第２の規制体８３の先端に当接した状態で、ロックレバー２４Ｂの舌片７３側と反対側が対向支持体８１ｂに向けて押されることになる。つまり、ロックレバー２４Ｂと対向支持体８１ｂとの当接点Ｚが支点となって、ロックレバー２４Ｂの舌片７３側と反対側が対向支持体８１ｂに向けて押されると共に、舌片７３が第２の規制体８３の先端を開口側支持体８１ａ（本体ケース２０の底壁２０ｂ）に向けて押すことになる。従って、舌片７３が弾性変形しつつ、レバー本体７１の全体が本体ケース２０内に納められてゆくことになる。なお、レバー本体７１の全体を操作用開口３４ｂを通して本体ケース２０内に納めることを可能とするために、レバー本体７１の長さＬ１は、Ｌ１＜Ｒ１＋Ｒ２（Ｒ１は、操作用開口３４ｂの長さ、Ｒ２は、第２の規制体８３から操作用開口３４ｂまでの長さ）にしている。
【００８１】
レバー本体７１の全体を本体ケース２０内に挿入した後、ロックレバー２４Ｂを第１の方向（第１の規制体８２側）に移動させて、レバー本体７１の舌片７３側と反対側の端縁（第１の規制体８２側の端縁）が開口側支持体８１ａに重なるようにする（図１４（ｃ）参照）。そして、ロックレバー２４Ｂを第１の方向にさらに移動させて、舌片７３が第２の規制体８３の先端から外れるように（舌片退避部８５に退避していない状態に）する（図１４（ｄ）参照）。
【００８２】
これにより、ロックレバー２４Ｂは、本体ケース２０に組み付けられた状態になる。すなわち、ロックレバー２４Ｂは、操作ボタン部７２が操作用開口３４ｂに露出し、第１の規制体８２及び第２の規制体８３により規制される範囲内で（規制片７７が第１の規制体８２に当接する第１の位置と、舌片７３の先端が第２の規制体８３に当接する第２の位置との間で）、支持体８１により第１の方向及び第２の方向に往復移動自在に支持された状態となる。ロックレバー２４Ｂは、このようにして、本体ケース２０に組み付けられる。
【００８３】
本発明の光ディスク再生装置１によれば、ロックレバー２４Ａ、２４Ｂの舌片５３、７３側を操作用開口３４ａ、３４ｂを通して本体ケース２０内に挿入し、そして、ロックレバー２４Ａ、２４Ｂの舌片５３、７３を舌片退避部６５、８５に一時的に退避させて、ロックレバー２４Ａ、２４Ｂのレバー本体５１、７１の全体を操作用開口３４ａ、３４ｂを通して本体ケース２０の内側に納めることにより、簡単に、ロックレバー２４Ａ、２４Ｂを本体ケース２０に組み付けることができる。
【００８４】
しかも、本体ケース２０に組み付けられたロックレバー２４Ａ、２４Ｂは、移動自在な範囲内（第１の規制体６２、８２及び第２の規制体６３、８３により規制される範囲内）のどの位置にあるときでも、レバー本体５１、７１の第１の規制体６２、８２側の端縁及び第２の規制体６３、８３側の端縁が操作用開口３４ａ、３４ｂに露出することがなく、簡単には、本体ケース２０から外れない。
【００８５】
なお、本発明は、上記実施形態の構成に限られず、種々の変形が可能である。例えば、ロックレバーの舌片は、レバー本体の端縁から延伸していてもよい。ロックレバーの本体ケースへの組み付けは、本体ケースの上ケースと下ケースとを結合した状態で行ってもよいし、上ケースと下ケースとを分離した状態で行ってもよい。２つのロックレバーは同じタイプのものであってもよい。ロックレバーは、本体ケースに着脱される着脱部材として、電池パック以外に、ディスク蓋を本体ケースに装着された状態（閉じた状態）に保持するために用いられてもよく、また、他の部材を本体ケースに装着された状態に保持するために用いられてもよい。また、本発明は、光ディスク再生装置に限られず、他の電子機器装置にも適用可能である。
【符号の説明】
【００８６】
１    光ディスク再生装置（電子機器装置）
２    本体ユニット
３    表示ユニット
４    ヒンジユニット
５    電池パック（着脱部材）
１０    光ディスク装着部
２０    本体ケース
２０ａ    背壁
２０ｂ    底壁
２１    ディスク装着部
２２    ディスク蓋
２３    光ディスク読取ユニット
２４Ａ、２４Ｂ    ロックレバー
２５    バネ（弾性部材）
２６  コネクタ
３１    下ケース
３２    上ケース
３３ａ、３３ｂ    爪挿入口
３４ａ、３４ｂ    操作用開口
４１ａ、４１ｂ    装着用爪
４２ａ、４２ｂ    係合溝
４３    コネクタ
５１    レバー本体
５２    操作ボタン部
５３    舌片
５６    係合片
５７    規制片
５８    バネ保持部
６１    レバー支持体
６１ａ    開口側支持体
６１ｂ    対向支持体
６１ｃ、６１ｄ  側方支持体
６２    第１の規制体
６３    第２の規制体
６４    バネ止め体
６５    舌片退避部
７１    レバー本体
７１ａ    側壁
７１ｂ    長孔
７２    操作ボタン部
７３    舌片
７４    突起部
７６    係合片
７７    規制片
８１    レバー支持体
８１ａ    開口側支持体
８１ｂ    対向支持体
８１ｃ、８１ｄ    側方支持体
８２    第１の規制体
８３    第２の規制体
８４    溝部
８５    舌片退避部
【図１】
0005464097.tif 000002
【図２】
0005464097.tif 000003
【図３】
0005464097.tif 000004
【図４】
0005464097.tif 000005
【図５】
0005464097.tif 000006
【図６】
0005464097.tif 000007
【図７】
0005464097.tif 000008
【図８】
0005464097.tif 000009
【図９】
0005464097.tif 000010
【図１０】
0005464097.tif 000011
【図１１】
0005464097.tif 000012
【図１２】
0005464097.tif 000013
【図１３】
0005464097.tif 000014
【図１４】
0005464097.tif 000015